(57)【要約】【課題】異なる場所に設置された蓄電池の状態を同時に確認できるようにすることを目的とする。【解決手段】商用電源１４及び発電装置３２の電力供給先を制御すると共に、複数の蓄電池２０の充放電を制御装置３０によって制御する。また、蓄電池２０の充放電の状態等をセンサによって検出して、検出結果に基づいて制御装置３０が蓄電池２０の充電量や異常を検出する。そして、検出した蓄電池２０の充電量や異常を室内操作パネル３４に出力することによって、室内操作パネル３４に各蓄電池２０の充電量や異常を表示する。【選択図】図２
2010220296.tif 000002
【特許請求の範囲】
【請求項１】
建物に供給するための電力を蓄電する複数の蓄電池と、
前記蓄電池の充放電を制御する制御手段と、
前記制御手段の制御による前記蓄電池への充放電の状態を検出する検出手段と、
前記検出手段によって検出された前記蓄電池への充放電の状態に基づいて、前記蓄電池それぞれの異常を判断する判断手段と、
予め定めた場所に設けられ、前記判断手段の判断結果を表示する表示手段と、
を備えた建物。
【請求項２】
前記検出手段が、前記蓄電池のそれぞれの充電量を更に検出し、前記表示手段が、前記検出手段によって検出された前記蓄電池のそれぞれの充電量を更に表示する請求項１に記載の建物。
【請求項３】
前記制御手段は、前記検出手段によって検出された前記充電量に基づいて、充電量の少ない前記蓄電池を優先的に充電するように、前記蓄電池への充電を制御する請求項２に記載の建物。
【請求項４】
前記表示手段が、建物に設けられた各開口の施錠状態を確認するためのモニタである請求項１〜３の何れか１項に記載の建物。
【請求項５】
前記表示手段は、予め定めた場所として建物の台所に設けた請求項１〜４の何れか１項に記載の建物。
【発明の詳細な説明】
【技術分野】
【０００１】
本発明は、蓄電池故障診断装置にかかり、特に、住宅で使用する電力を蓄電する蓄電池の故障を診断する蓄電池故障診断装置に関する。
【背景技術】
【０００２】
近年、電力を蓄電する蓄電池は、住宅で使用する電力を蓄電したり、電気自動車やハイブリッド自動車などで使用する電力を蓄電したり、様々な技術分野で使用されるようになってきている。
【０００３】
ところで、蓄電池は、蓄電性能の劣化や、過充電等によって故障して充放電が不可能な異常が発生することがある。そこで、特許文献１に記載の技術では、蓄電池を構成する単電池の正負極管にツェナーダイオードと発光ダイオードの直列回路を並列に接続することにより、単電池が故障した場合に、発光ダイオードが点灯し、故障判定を行うことが提案されている。
【先行技術文献】
【特許文献】
【０００４】
【特許文献１】特開平６−７８４０３号公報
【発明の概要】
【発明が解決しようとする課題】
【０００５】
しかしながら、特許文献１に記載の技術では、複数の蓄電池、及び上記並列回路が同一の場所に設置されていないと、複数の蓄電池の故障状態を同時に確認することができず、複数の蓄電池の故障状態を同時に確認するためには改善の余地がある。
【０００６】
本発明は、上記事実を考慮して成されたもので、異なる場所に設置された蓄電池の状態を同時に確認できるようにすることを目的とする。
【課題を解決するための手段】
【０００７】
上記目的を達成するために請求項１に記載の発明は、建物に供給するための電力を蓄電する複数の蓄電池と、前記蓄電池の充放電を制御する制御手段と、前記制御手段の制御による前記蓄電池への充放電の状態を検出する検出手段と、前記検出手段によって検出された前記蓄電池への充放電の状態に基づいて、前記蓄電池それぞれの異常を判断する判断手段と、予め定めた場所に設けられ、前記判断手段の判断結果を表示する表示手段と、を備えることを特徴としている。
【０００８】
請求項１に記載の発明によれば、建物に供給するための電力を蓄電する複数の蓄電池を備えており、該複数の蓄電池は、制御手段によって充放電が制御される。
【０００９】
また、検出手段では、制御手段の制御による蓄電池への充放電の状態が検出され、判断手段では、検出手段によって検出された蓄電池への充放電の状態に基づいて、蓄電池それぞれの異常が判断される。
【００１０】
判断手段は、例えば、充放電時の蓄電池の電圧値や電流値から異常を判定したり、蓄電池を所定量（例えば、８０％）まで充電するのにかかった時間が予め定めた時間Ｔ以上か否かを判定することによって異常を判定したり、充電しても蓄電量が増えなかったか否かなどを判定することによって異常を判定する。
【００１１】
また、表示手段は、予め定めた場所に設けられており、判断手段の判断結果が表示される。例えば、表示手段は、請求項４に記載の発明のように、建物に設けられた各開口の施錠状態を確認するためのモニタを適用するようにしてもよいし、請求項５に記載の発明のように、建物の台所に設けるようにしてもよい。
【００１２】
すなわち、表示手段によって複数設けられた蓄電池の異常を確認することができるので複数の蓄電池がそれぞれ異なる場所に設置されていても、予め定めた場所に設けられた表示手段を確認するだけで、複数の蓄電池の状態を同時に確認することができる。
【００１３】
なお、請求項２に記載の発明のように、検出手段が、蓄電池のそれぞれの充電量をさらに検出し、表示手段が、検出手段によって検出された蓄電池のそれぞれの充電量を更に表示するようにしてもよい。これによって、複数の蓄電池の充電量を同時に確認することができる。この場合、制御手段は、請求項３に記載の発明のように、検出手段によって検出された充電量に基づいて、充電量の少ない蓄電池を優先的に充電するように、蓄電池への充電を制御するようにしてもよい。このように充電量の少ない蓄電池を優先的に充電することで、効率的に蓄電池の充電を行うことができる。
【発明の効果】
【００１４】
以上説明したように本発明によれば、複数の蓄電池への充放電の状態に基づいて、蓄電池のそれぞれの異常を判断して判断結果を表示する表示手段を建物に設けたので、異なる場所に設置された蓄電池の状態を同時に確認できる、という効果がある。
【図面の簡単な説明】
【００１５】
【図１】本発明の実施の形態に係わる建物の概略を示す図である。
【図２】本発明の実施の形態に係わる建物に備えた住宅電力供給装置の構成を示すブロック図である。
【図３】本発明の実施の形態に係わる建物に備えた住宅電力供給装置の制御装置の構成を示すブロック図である。
【図４】本発明の実施の形態に係わる建物に備えた住宅電力供給装置の制御部で行う電力供給及び充電制御を説明するための図であり、（Ａ）は電力供給制御の一例を示し、（Ｂ）は充電制御の一例を示す図である。
【図５】本発明の実施の形態に係わる建物に備えた住宅電力供給装置の制御部で行われる充電制御を説明するための図であり、（Ａ）は複数の蓄電池のうち１つの蓄電池を充電する場合の充電制御の一例を示し、（Ｂ）複数の蓄電池を充電する場合の充電制御の一例を示す図である。
【図６】本発明の実施の形態に係わる建物に備えた住宅電力供給装置の制御装置で行われる処理の流れの一例を示すフローチャートである。
【図７】本発明の実施の形態に係わる建物に備えた住宅電力供給装置の制御装置で行われる充電制御の流れの一例を示すフローチャートである。
【図８】本発明の実施の形態に係わる建物に備えた住宅電力供給装置の室内操作パネルで行われる処理の流れの一例を示すフローチャートである。
【発明を実施するための形態】
【００１６】
以下、図面を参照して本発明の実施の形態の一例を詳細に説明する。図１は、本発明の実施の形態に係わる建物の概略を示す図である。
【００１７】
本発明の実施の形態に係わる建物１０は、建物１０内への電力供給を制御するための住宅電力供給装置１２を備えている。
【００１８】
住宅電力供給装置１２には、商用電源１４、太陽電池１６、発電ユニット１８、蓄電池２０が接続されており、これらの電力を建物１０で使用する電力として供給する。なお、図１では、蓄電池２０を１つのみ示すが、本実施の形態では、蓄電池２０は複数接続されている。
【００１９】
太陽電池１６は、太陽エネルギーを電力に変換するソーラーパネルを有し、該ソーラーパネルによって変換された電力を住宅電力供給装置１２へ供給する。
【００２０】
発電ユニット１８は、燃料電池を有し、該燃料電池によって発電して、発電した電力を住宅電力供給装置１２へ供給する。
【００２１】
住宅電力供給装置１２は、電力会社から供給される電力や、太陽電池１６から供給される電力、発電ユニット１８から供給される電力によって、蓄電池２０を充電して、充電した電力や、上記各電力を建物１０（例えば、照明機器２２や空調装置２４等）へ供給するための制御を行う。
【００２２】
なお、住宅電力供給装置１２は、ハイブリッド自動車や電気自動車等の走行用蓄電池２６を備えた自動車２８を接続可能とし、自動車２８の走行用蓄電池２６を充電したり、走行用蓄電池２６の電力を建物１０に供給可能にしてもよい。
【００２３】
ここで、住宅電力供給装置１２について詳細に説明する。図２は、本発明の実施の形態に係わる建物１０に備えた住宅電力供給装置１２の構成を示すブロック図である。
【００２４】
住宅電力供給装置１２は、建物１０への電力の供給制御を統括的に行う制御装置３０を備えている。
【００２５】
制御装置３０には、複数の蓄電池２０、発電装置３２、商用電源１４、分電盤３８、及び室内操作パネル３４が接続されている。なお、制御装置３０の電源は、商用電源１４から供給する独立した専用回路を設け、商用電源１４から安定的に供給する。
【００２６】
複数の蓄電池２０は、小型化（例えば、３００×１００×１５０ｍｍ以下）されたものを適用することができ、建物１０で使用する電力を蓄電する。なお、蓄電池２０は、１カ所に集中して配置するようにしてもよいし、建物１０の種々の場所に分散して配置するようにしてもよい。また、蓄電池２０の数は、制御装置３０の容量に合わせて増設可能とされている。また、センサ４８については、蓄電池２０の増設に合わせて増設可能としてもよいし、所定数のセンサ４８を制御装置３０に予め備えておくようにしてもよい。
【００２７】
発電装置３２は、例えば、上述の太陽電池１６や発電ユニット１８からなり、発電した電力を制御装置３０へ供給する。また、発電装置３２は、自動車２８等によって発電した電力を制御装置３０へ供給するようにしてもよい。また、発電装置３２としては、風力発電や水力発電等の太陽光以外の他の自然エネルギーを利用した発電装置を適用するようにしてもよい。
【００２８】
商用電源１４は、電力会社から供給される。商用電源１４から供給される電力は、蓄電池２０の充電に使用したり、蓄電池２０や発電装置３２の電力だけでは、建物１０で使用する電力が不足する場合に、建物１０の各居室４０へ供給される。
【００２９】
分電盤３８は、蓄電池２０、発電装置３２、及び商用電源１４から制御装置３０の制御によって供給される電力を建物１０の各居室４０へ供給する。
【００３０】
室内操作パネル３４は、建物１０内（例えば、リビングやキッチン、或いは他の居室４０等）に設けられ、各蓄電池２０の充電状態や、各蓄電池２０の異常、電力供給状態等を表示するモニタや、蓄電池２０の充放電の各種設定を行ったりするための操作部などを備えている。また、室内操作パネル３４には、スピーカー３６が接続されており、蓄電池２０の異常を検出した際に警報音やアナウンス等の音声を出力するようになっている。なお、室内操作パネル３４のモニタは、例えば、建物１０の開口の施錠を制御するシステムにおける施錠状態を確認するモニタや、建物の台所に設けられたキッチンモニタ（例えば、台所に設けたテレビモニタやインターフォンのモニタ等）と共用するようにしてもよい。或いは、建物１０で使用する各種システムのモニタと共用するようにしてもよい。
【００３１】
すなわち、制御装置３０は、蓄電池２０の充放電制御や、発電装置３２によって発電された電力の供給先の切替制御、商用電源１４から供給される電力の供給制御等を含む建物１０で使用する電力の供給制御を行う。具体的には、制御装置３０は、電力会社から供給される電力や、発電装置３２から供給される電力の蓄電池２０への供給を制御したり、蓄電池２０から建物１０の各居室４０へ供給する電力を制御する。建物１０への電力の供給は、本実施の形態では、蓄電池２０に蓄電された電力を主に使用するように制御装置３００が制御するようになっている。
【００３２】
ここで、制御装置３０の詳細な構成について説明する。図３は、本発明の実施の形態に係わる建物に備えた住宅電力供給装置１２の制御装置３０の構成を示すブロック図である。なお、図３中の実線は情報の流れを示し、点線は電力の流れを示す。
【００３３】
制御装置３０は、コントロールユニット４２、及び複数の蓄電池２０のそれぞれの状態を検出するセンサ４８を備えている。なお、センサ４８は、複数の蓄電池２０に対応して複数設けられている。
【００３４】
コントロールユニット４２は、回路制御ユニット４４及び電力制御ユニット４６を備えており、回路制御ユニット４４によって情報の流れが制御され、電力制御ユニット４６によって電力の流れが制御される。
【００３５】
回路制御ユニット４４には、センサ４８及び室内操作パネル３４が接続されている。センサ４８は、蓄電池２０の充放電状態等の各種状態を検出し、検出結果を回路制御ユニット４４に出力する。また、回路制御ユニット４４は、センサ４８の検出結果から各蓄電池２０の充電量や異常を検出し、充電量や異常を表す情報を室内操作パネル３４へ出力する。そして、室内操作パネル３４は、回路制御ユニット４４から出力された情報に基づいて、蓄電池２０の充電量や、蓄電池２０の異常などを表示したり、蓄電池２０に異常が発生した場合には、スピーカー３６から蓄電池２０の異常が発生したことを表す音声を出力する。
【００３６】
電力制御ユニット４６には、センサ４８を介して蓄電池２０が接続されていると共に、分電盤３８、商用電源１４、及び発電装置３２が接続されており、電力制御ユニット４６は、蓄電池２０や、発電装置３２、商用電源１４などから供給される電力の供給先等を制御する。また、電力制御ユニット４６は、インバータ変換器を備えており、商用電源１４から蓄電池２０へ電力を供給する際には、交流電源をインバータ変換器によって直流電源に変換してから蓄電池２０へ電力を供給し、蓄電池２０から分電盤３８へ電力を供給する際には、直流電源をインバータ変換器によって交流電源に変換してから分電盤３８へ電力を供給する。
【００３７】
すなわち、電力制御ユニット４６は、電力会社から供給されインバータ変換器によって変換された直流電力を蓄電池２０へ供給したり、電力会社から供給された電力を分電盤３８へ供給したり、蓄電池２０に蓄電された電力をインバータ変換器によって交流電力に変換して電力会社へ供給したり、蓄電池２０に蓄電された電力をインバータ変換器によって変換交流電力に変換して分電盤３８に供給したり、発電装置３２から供給される電力を充電するための電力として蓄電池２０に供給したり、発電装置３２から供給される電力をインバータ変換器によって交流電力に変換して電力会社へ供給したり、発電装置３２から供給される電力をインバータ変換器によって交流電力に変換して分電盤３８に供給する。
【００３８】
例えば、制御装置３０は、蓄電池２０及び発電装置３２の電力だけでは不足する場合には、図４（Ａ）に示すように、商用電源１４からの電力、発電装置３２によって発電された電力、及び蓄電池２０（蓄電池Ａ）に蓄電された電力を分電盤３８へ供給するように制御することによって各居室４０へ電力を供給し、蓄電池２０（蓄電池Ｂ）の充電量が予め定めた充電量Ａ以下の場合には、分電盤３８以外にも蓄電池２０へ電力を供給するように制御する。
【００３９】
また、図４（Ｂ）に示すように、複数の蓄電池２０（蓄電池Ａ及び蓄電池Ｂ）の充電量が充電量Ａ以下の場合には、少ない方の蓄電池２０（蓄電池Ａ）を優先的に充電するように電力供給を制御する。
【００４０】
蓄電池２０への充電は、具体的には、図５（Ａ）に示すように、蓄電池Ａの充電量が８０％、蓄電池Ｂの充電量が５０％、蓄電池Ｃの充電量が７０％、充電池Ｄの充電量が３０％の場合に、充電量Ａとして３０％以下の蓄電池Ｄを充電するように制御する。また、図５（Ｂ）に示すように、充電量Ａとして充電量が３０％以下の蓄電池２０が複数（蓄電池Ａ及び蓄電池Ｂ）ある場合には、充電量が少ない蓄電池Ｂを優先的に充電するようになっている。なお、充電量Ａとしては、３０％に限るものではなく、他の値を用いてもよい。また、充電量Ａを室内操作パネル３４で設定可能としてもよい。
【００４１】
続いて、上述のように構成された本発明の実施の形態に係わる建物１０に備えた住宅電力供給装置１２の制御装置３０で行われる処理について説明する。図６は、本発明の実施の形態に係わる建物１０に備えた住宅電力供給装置１２の制御装置３０で行われる処理の流れの一例を示すフローチャートである。なお、図６のフローチャートは、住宅電力供給装置１２のシステムの電源が投入された場合に開始し、システムの電源がオフされた場合等に終了するものとして説明する。
【００４２】
まず、ステップ１００では、発電装置３２及び蓄電池２０から分電盤３８に電力供給が行われてステップ１０２へ移行する。すなわち、電力制御ユニット４６が蓄電池２０の電力及び発電装置３２によって発電された電力を分電盤３８に供給するように制御する。なお、電力供給の開始時は、蓄電池２０または発電装置３２のみによる電力供給で電力不足しない場合には、何れか一方の電力のみを分電盤３８に供給するようにしてもよい。
【００４３】
ステップ１０２では、電力が不足しているか否か電力制御ユニット４６によって判定される。該判定は、例えば、供給電圧が所定電圧以上降下しているか否か等を電力制御ユニット４６が判定し、該判定が肯定された場合にはステップ１０４へ移行し、否定された場合にはステップ１０６へ移行する。
【００４４】
ステップ１０４では、商用電源１４から分電盤３８に電力供給が開始されてステップ１０６へ移行する。すなわち、電力制御ユニット４６が、商用電源１４から得られる電力を分電盤３８に供給するように制御する。これによって、電力不足分を商用電源１４によって補うことができる。
【００４５】
ステップ１０６では、各蓄電池２０の充電量がセンサ４８によって検出されてステップ１０８へ移行する。すなわち、回路制御ユニット４４がセンサ４８の検出結果を取得する。
【００４６】
ステップ１０８では、充電量が予め定めた充電量Ａ以下の蓄電池があるか否か判定される。該判定は、例えば、充電量が３０％以下の蓄電池２０があるか否かを回路制御ユニット４４が判定し、該判定が肯定された場合にはステップ１１０へ移行し、否定された場合にはステップ１１２へ移行する。
【００４７】
ステップ１１０では、蓄電池２０の充電制御が行われてステップ１１２へ移行する。ここで、充電制御について図７を参照して詳細に説明する。図７は、本発明の実施の形態に係わる建物に備えた住宅電力供給装置１２の制御装置３０で行われる充電制御の流れの一例を示すフローチャートである。
【００４８】
充電制御へ移行すると、ステップ２００では、各蓄電池２０の状態検出、及び充電履歴が回路制御ユニット４４によって読み出されてステップ２０２へ移行する。各蓄電池２０の状態検出は、例えば、センサ４８の検出結果を取得して、各蓄電池２０の電圧値や電流値、充放電量等を検出することによって各蓄電池２０の状態を検出し、充電履歴は、過去に記憶された充電時間（例えば、所定量まで充電するのにかかった時間等）を充電履歴として読み出す。なお、充電履歴は、過去に行った充電処理で記憶されるもので、後述するステップ２２４で記憶される。
【００４９】
ステップ２０２では、各蓄電池２０の状態や充電履歴に基づいて、異常が発生している蓄電池２０があるか否か回路制御ユニット４４によって判定される。該判定は、例えば、センサ４８によって検出された電圧値や電流値が異常か否かを判定したり、蓄電池２０の充電量Ａから所定量（例えば、８０％）まで充電するのにかかった時間が予め定めた時間Ｔ以上か否かを判定したり、充電しても蓄電量が増えなかったか否かなどを判定し、該判定が肯定された場合にはステップ２０４へ移行し、否定された場合にはステップ２０６へ移行する。なお、充電するのにかかった時間が予め定めた時間Ｔ以上か否かを判定して異常を判定する場合には、蓄電池２０の充放電実績等から劣化を判断して時間Ｔをある程度変動するようにしてもよい。
【００５０】
ステップ２０４では、電力制御ユニット４６によって異常が発生している蓄電池２０が使用停止に設定されると共に、室内操作パネル３４に異常を表す通知が行われてステップ２０６へ移行する。
【００５１】
ステップ２０６では、充電量Ａ以下の蓄電池２０が複数あるか否かが回路制御ユニット４４によって判定され、該判定が肯定された場合にはステップ２０８へ移行し、否定された場合にはステップ２１０へ移行する。
【００５２】
ステップ２０８では、充電の優先順位が回路制御ユニット４４によって決定され、電力制御ユニット４６に通知されてステップ２１０へ移行する。例えば、充電量Ａ以下の蓄電池２０が複数ある場合には、充電量が少ない蓄電池２０を優先的に充電するように充電の優先順位を決定する。
【００５３】
ステップ２１０では、発電装置３２の発電状態が電力制御ユニット４６によって検出されてステップ２１２へ移行する。すなわち、電力制御ユニット４６が発電装置３２によって発電されている電力を検出する。
【００５４】
ステップ２１２では、電力供給状態が電力制御ユニット４６によって検出されてステップ２１４へ移行する。すなわち、分電盤３８から各居室４０へ供給されている電力量を検出する。
【００５５】
ステップ２１４では、発電装置３２の電力で充電量Ａ以下の蓄電池２０を充電可能か否かが電力制御ユニット４６によって判定される。該判定は、ステップ２０８で検出された発電装置３２の発電状態、及びステップ２１０で検出された電力供給状態に基づいて、発電装置３２からの電力だけで、蓄電池２０の充電及び分電盤３８への電力供給が可能か否かを判定し、該判定が肯定された場合にはステップ２１６へ移行し、否定された場合にはステップ２１８へ移行する。
【００５６】
ステップ２１６では、発電装置３２の電力だけで建物１０への電力供給と蓄電池２０の充電が可能であるので、発電装置３２の電力を蓄電池２０に供給するように電力制御ユニット４６によって設定されてステップ２２０へ移行する。
【００５７】
一方、ステップ２１８では、発電装置３２の電力だけでは建物１０への電力供給と蓄電池２０の充電が不可能であるため、発電装置３２の電力及び商用電源１４の電力を蓄電池２０に蓄電池２０に供給するように電力制御ユニット４６によって設定されてステップ２２０へ移行する。
【００５８】
ステップ２２０では、蓄電池２０を充電開始するように電力制御ユニット４６によって制御されてステップ２２２へ移行する。なお、蓄電池２０を充電する際にステップ２０８で優先順位が決定されている場合には、ステップ２０８で決定した優先順位に従って蓄電池２０を充電するように制御する。すなわち、本実施の形態では、複数の蓄電池２０が充電量Ａ以下の場合には、最も充電量が少ない蓄電池２０から充電を行う。なお、優先順位に従って充電を行う際には、優先順位が高い蓄電池２０に対して優先順位が低い蓄電池２０へ供給する電力を下げて充電を行うようにしてもよい。また、蓄電池２０の充電の際には、回路制御ユニット４４が室内操作パネル３４へ充電中であることを表す情報を通知して、室内操作パネル３４に充電中の蓄電池２０が分るようにモニタ等に表示するようにしてもよい。
【００５９】
ステップ２２２では、充電が終了したか否かが判定される。該判定は、センサ４８の検出結果に基づいて回路制御ユニット４４が判定し、該判定が否定された場合にはステップ２１０に戻って上述の処理が繰り返され、判定が肯定された場合にはステップ２２４へ移行する。
【００６０】
ステップ２２４では、蓄電池２０の充電を停止すると共に、充電履歴が記憶されて充電処理がリターンされ、図６のステップ１１２へ移行する。例えば、充電前の充電量と所定量までの充電時間などが充電履歴として記憶する。すなわち、ここで記憶された充電履歴が、次に充電処理を行う際に、上述のステップ２００で読み出される。
【００６１】
充電処理がリターンされと、図６のステップ１１２では、商用電源１４が使用中か否か電力制御ユニット４６によって判定される。すなわち、ステップ１０４で商用電源１４からの電力が分電盤３８に供給開始されているか否かを判定し、該判定が否定された場合にはステップ１０２へ戻って上述の処理が繰り返され、判定が肯定された場合にはステップ１１４へ移行する。
【００６２】
ステップ１１４では、商用電源１４が必要か否か電力制御ユニット４６によって判定される。すなわち、電力不足を商用電源１４から電力供給することによって補ったが、不要になったか否かを判定し、該判定が肯定された場合にはステップ１０６に戻って上述の処理が繰り返され、判定が否定された場合にはステップ１１６へ移行する。
【００６３】
ステップ１１６では、商用電源１４不要となったので、商用電源１４から分電盤３８への電力供給が電力制御ユニット４６によって停止されてステップ１０２へ戻って上述の処理が繰り返される。
【００６４】
このように処理を行うことによって、建物１０へ蓄電池２０、発電装置３２、及び商用電源１４の各電力の供給を制御することができると共に、蓄電池２０の充電を行うことができる。また、複数の蓄電池２０を充電する場合には、充電量に応じて優先順位を設定して充電されるため、効率的に蓄電池２０の充電を行うことができる。
【００６５】
次に、室内操作パネル３４で行われる処理の流れについて説明する。図８は、本発明の実施の形態に係わる建物１０に備えた住宅電力供給装置１２の室内操作パネル３４で行われる処理の流れの一例を示すフローチャートである。
【００６６】
まず、ステップ３００では、各蓄電池２０の状態検出結果が取得されてステップ３０２へ移行する。すなわち、室内操作パネル３４は、上述のステッ２００で検出された各蓄電池２０の状態の検出結果を制御装置３０から取得する。
【００６７】
ステップ３０２では、制御装置３０から異常通知があるか否か判定される。該判定は、上述のステップ２０４で制御装置３０から異常通知が出力されたか否かを判定し、該判定が肯定された場合にはステップ３０４へ移行し、否定された場合にはステップ３０６へ移行する。
【００６８】
ステップ３０４では、異常の蓄電池２０があることが報知されてステップ３０６へ移行する。例えば、モニタ等に異常の蓄電池２０があることを表す情報や、該異常の蓄電池２０を特定するための情報等をモニタに表示したり、異常の蓄電池２０があることを表す音やアナウンス等をスピーカー３６から出力する。これによって、異常の蓄電池２０の存在を住人に報知することができ、蓄電池２０の交換等を促すことができる。
【００６９】
ステップ３０６では、各蓄電池２０の充電量がモニタ等に表示されてステップ３０８へ移行する。これによって、複数の蓄電池２０の充電量を住人に報知することができる。各蓄電池２０の充電量の表示方法としては、例えば、図５（Ａ）に示すように、棒グラフのような表示を行うようにしてもよいし、円グラフや他の視覚的に分りやすい方法で表示するようにしてもよい。
【００７０】
ステップ３０８では、処理を終了するか否か判定される。該判定は、例えば、他の処理等が指示されたか否かや、電源がオフされたか否か等を判定し、該判定が否定された場合にはステップ３００に戻って上述の処理が繰り返され、判定が肯定されたところで一連の処理を終了する。
【００７１】
すなわち、室内操作パネル３４で上述のような処理を行うことによって、室内操作パネル３４のモニタを確認することで、複数の蓄電池２０の充電状態や異常等を確認することができる。このとき、複数の蓄電池２０がそれぞれ異なる場所に設置されていても、室内操作パネル３４のモニタを確認するだけで全ての蓄電池２０の状態を同時に確認することができる。従って、複数の蓄電池２０の故障等の状態を１カ所で同時に確認することができる。
【００７２】
また、蓄電池２０の異常を室内操作パネル３４で確認した場合には、異常が発生した蓄電池２０のみを交換可能であるため、大容量の蓄電池を備えた装置に比べて安価に異常を解消することができる。
【００７３】
なお、上記の実施の形態では、蓄電池２０の充電量や異常を表示する室内操作パネル３４の設置数については特に説明したかったが、建物１０の一カ所のみに設けるようにしてもよいし、複数の場所に設けるようにしてもよい。何れにしても室内操作パネル３４を確認することで、複数の蓄電池の状態を同時に確認することができる。
【符号の説明】
【００７４】
１０    建物
１２    住宅電力供給装置
２０    蓄電池
３０    制御装置
３４    室内操作パネル
４２    コントロールユニット
４４    回路制御ユニット
４６    電力制御ユニット
４８    センサ
【図１】
2010220296.tif 000003
【図２】
2010220296.tif 000004
【図３】
2010220296.tif 000005
【図４】
2010220296.tif 000006
【図５】
2010220296.tif 000007
【図６】
2010220296.tif 000008
【図７】
2010220296.tif 000009
【図８】
2010220296.tif 000010